(57)【特許請求の範囲】
【請求項１】
種々のデータや指令を入力する為の入力手段と、ディスプレイを有する表示手段と、印字対象体であるテープに印字する印字手段と、入力手段と表示手段と印字手段とを制御する制御手段とを備えたテープ状ラベル作成装置において、
複数のラベル名と、各ラベル名に付随する文字入力エリアへの入力可能文字数に関する表示とを所定の書式で表示する為の表示情報と、文字入力開始位置に関する表示情報と、イラストを印字するためのイラストデータを備えると共にイラストデータが存在することを表示するための表示情報とを含み、各文字入力エリアに入力されるテキストデータを所定の書式で印字する為の印字用書式情報とを、予め設定して格納した書式情報記憶手段と、
前記書式情報記憶手段の記憶情報と入力手段から入力された指令に基づいて、複数のラベル名を順々にディスプレイに表示させ、ラベル名が選択されたときには、そのラベル名に付随する入力可能文字数に関する表示と、入力開始位置に関する表示と、イラストデータの存在を示す表示としてイラストを印字する位置をディスプレイに表示させる表示制御手段と、
を備えたことを特徴とするテープ状ラベル作成装置。
【請求項２】
前記入力可能文字数に関する表示情報と前記文字入力開始位置に関する表示情報は、入力開始位置から入力可能文字数分だけマークを表示するための表示情報であることを特徴とする請求項１に記載のテープ状ラベル作成装置。
【発明の詳細な説明】
【０００１】
【産業上の利用分野】
本発明は、入力した文字を所定の書式で印刷可能なテープ状ラベル作成装置に関し、入力画面で入力可能な文字数を示すことができるようにしたものに関する。
【０００２】
【従来の技術】
従来、テープ状ラベル作成装置には、複数種類のラベルを簡単に且つ迅速に作成し得るように、「ビデオテープ」、「ビデオテープのケース」、「オーディオテープ」や「オーディオテープのケース」などの複数のラベル名と、各ラベル名に付随する「タイトル（記録内容）」、「記録内容のジャンル」や「記録日」などの複数の入力指示メッセージとを表示する為の表示情報と、各入力指示メッセージに基づいて入力されるテキストデータを所定の書式で印字する為の印字用書式情報とを予め設定しておき、複数のラベル名のうちから選択されたラベル名について、その入力指示メッセージを順次ディスプレイに表示するとともに、入力指示メッセージの表示を介して入力されたテキストデータを、入力指示メッセージの項目毎に記憶し、これらのテキストデータを印字用書式情報を用いてテープに印字して、これらビデオテープやオーディオテープに貼着可能なテープ状ラベルを簡単に作成する機能を備えるものがあった。
【０００３】
【発明が解決しようとする課題】
上記従来装置では、前記ラベル名毎に作成されるラベルの印字長が設定されている場合や、各入力指示メッセージの項目毎にその印字長が設定されている場合があり、設定されている場合には、前記印字用書式情報に前記印字長に関するデータも含まれている。このように印字長が設定されている場合には、その印字長から入力可能な文字数が決まり、入力できる文字数が制限される。
【０００４】
しかしながら、前述したように、「ビデオテープ」や「オーディオテープ」などの複数のラベル名と、各ラベル名に付随する複数の入力指示メッセージとを所定の書式で表示する為の表示情報と、入力されるテキストデータを所定の書式で印字する為の印字用書式情報とを予め設定しておき、入力指示メッセージの表示を介して入力されたテキストデータを、印字用書式情報を用いてテープに印字してテープ状ラベルを作成する場合、制限された文字数を越えて文字入力すると、印字処理に際してエラーが発生して印字できないという問題がある。また、入力文字数を制限内に収めようとしても、入力画面上ではどこまで入力できるのかわかりにくいという問題がある。
【０００５】
本発明は、前記従来の問題点を解消するためになされたものであり、入力画面で入力可能な文字数を示し、所望のテープ状ラベルを簡単に且つ迅速に作成し得るようなテープ状ラベル作成装置を提供することにある。
【０００６】
【課題を解決するための手段】
この目的を達成するために、請求項１記載のテープ状ラベル作成装置は、種々のデータや指令を入力する為の入力手段と、ディスプレイを有する表示手段と、印字対象体であるテープに印字する印字手段と、入力手段と表示手段と印字手段とを制御する制御手段とを備えたテープ状ラベル作成装置であって、複数のラベル名と、各ラベル名に付随する文字入力エリアへの入力可能文字数に関する表示とを所定の書式で表示する為の表示情報と、文字入力開始位置に関する表示情報と、イラストを印字するためのイラストデータを備えると共にイラストデータが存在することを表示するための表示情報とを含み、各文字入力エリアに入力されるテキストデータを所定の書式で印字する為の印字用書式情報を、予め設定して格納した書式情報記憶手段と、前記書式情報記憶手段の記憶情報と入力手段から入力された指令に基づいて、複数のラベル名を順々にディスプレイに表示させ、ラベル名が選択されたときには、そのラベル名に付随する入力可能文字数に関する表示と、入力開始位置に関する表示と、イラストデータの存在を示す表示としてイラストを印字する位置をディスプレイに表示させる表示制御手段とを備えている。
【０００７】
このように構成された請求項１に係るテープ状ラベル作成装置は、書式情報記憶手段には、複数のラベル名と、各ラベル名に付随する文字入力エリアを示す表示とを所定の書式で表示する為の表示情報と、文字入力開始位置に関する表示情報と、イラストを印字するためのイラストデータを備えると共にイラストデータが存在することを表示するための表示情報とを含み、各文字入力エリアに入力されるテキストデータを所定の書式で印字する為の印字用書式情報が、予め設定して格納されているので、表示制御手段は、書式情報記憶手段の記憶情報と入力手段から入力された指令に基づいて、複数のラベル名を順々にディスプレイに表示させ、ラベル名が選択されたときには、そのラベル名に付随する入力可能文字数に関する表示と、入力開始位置に関する表示と、イラストデータの存在を示す表示としてイラストを印字する位置をディスプレイに表示させる。
【０００８】
そして、入力可能文字数の範囲で入力開始位置から入力されたテキストデータは、イラスト共に、選択された印字用書式情報に基づいて、印字手段により印字対象体であるテープに印字され、ラベルが作成される。
【０００９】
【００１０】
【００１１】
また、請求項２記載のテープ状ラベル作成装置は、請求項１に係るテープ状ラベル作成装置と同様の構成を有するが、前記入力可能文字数に関する表示情報と前記文字入力開始位置に関する表示情報が、入力開始位置から入力可能文字数分だけマークを表示するための表示情報である。
【００１２】
このように構成された請求項２に係るテープ状ラベル作成装置は、請求項１に係るテープ状ラベル作成装置と同様の作用を有するが、さらに、表示制御手段が選択されたラベル名に関して、入力開始位置から入力可能な文字数だけマークを表示する。
【００１３】
【００１４】
【００１５】
【発明の実施の形態】
以下、本発明の実施の形態について図面を参照して説明する。
【００１６】
本実施形態は、ひらかなや漢字や記号などの多数のキャラクタを印字対象体であるラミネートテープ（印字テープ）に印字してテープ状のラベルを作成する、テープ状ラベル作成装置に本発明を適用した場合のものである。
【００１７】
図１に示すように、テープ状ラベル作成装置１の本体フレーム２の前部にはキーボード３が配設され、キーボード３の後方で本体フレーム２内にはサーマル印字機構ＰＭが配設され、またキーボード３の直ぐ後側には、入力した文字や記号を１行分表示可能な液晶ディスプレイ４が設けられている。ここで、符号５は、印字機構ＰＭのカバーケースを開ける為の操作ツマミである。
【００１８】
キーボード（入力手段に相当する）３には、アルファベット文字や数字や記号を入力する為の文字キー、スペースキー、改行キー、カーソルＫを上下左右方向に夫々移動させる為のカーソル移動キー、パノラマラベルを簡単に作成するパノラマキー、実行キーや取消しキーなどの編集キー、印字を指令する印字キー、電源をＯＮ・ＯＦＦする為の電源キーなどが設けられている。
【００１９】
次に、サーマル印字機構（印字手段に相当する）ＰＭについて、図２に基いて簡単に説明する。
【００２０】
このサーマル印字機構ＰＭには、着脱自在に矩形状のテープカセット１０が装着されており、このテープカセット１０には、印字対象体であるラミネートテープ１１が巻装されたテープスプール１２と、インクリボン１３が巻装されたリボンスプール１４と、このインクリボン１３を巻取るリボン巻取りスプール１５と、ラミネートテープ１１と同一幅を有する両面テープ１６が剥離紙を外側にして巻装された供給スプール１７と、これらラミネートテープ１１と両面テープ１６とを押圧して接合させる接合ローラ１８とが回転自在に設けられている。
【００２１】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧してテープ状ラベル２３を作成しながらテープ送りする送りローラ２１とは、本体フレーム２に回動自在に枢着されたローラ支持体２２に回転可能に枢支されている。このサーマルヘッド１９には、６４個の発熱素子が上下方向に列設されている。
【００２２】
従って、テープ送りモータ３６（図３参照）の所定回転方向への駆動により、接合ローラ１８とリボン巻取りスプール１５とが所定回転方向に夫々同期して駆動されながら、サーマルヘッド１９の複数の発熱素子に通電されたとき、ラミネートテープ１１の裏面側には、複数のドット列により文字や記号が鏡像で印字され、しかもラミネートテープ１１の裏面側に両面テープ１６が接合されてテープ状ラベル２３が作成され、テープ送り方向Ｔに送給されて、図１・図２に示すように、本体フレーム２の外部に繰出される。尚、サーマル印字機構ＰＭの詳細については、特開平２−１０６５５５号公報を参照。
【００２３】
ところで、前記テープカセット１０として、テープスプール１２に巻装されたラミネートテープ１１のテープ幅が、６mm、９mm、１２mm、１８mm、２４mmである５種類が準備されており、このテープカセット１０の底壁部には、３つの検出用穴２４〜２６が形成され、これら５種類のテープ幅の何れかを検出できるように、これら検出用穴２４〜２６の幾つかが組合せて塞がれている。そして、このテープカセット１０の下側を支持する本体フレーム２には、これら塞がれた検出用穴２４〜２６の組合せから、テープ幅やテープ種類などを検出してテープカセット情報を出力するカセットセンサ３０（図３参照）が取付けられている。
【００２４】
次に、テープ状ラベル作成装置１の制御系は、図３のブロック図に示すように構成されている。
【００２５】
制御装置Ｃの入出力インターフェース４４には、キーボード３と、カセットセンサ３０と、液晶ディスプレイ（ＬＣＤ）４に表示データを出力する為のビデオＲＡＭ３１を有するディスプレイコントローラ（ＬＣＤＣ）３２と、警告用ブザー３３の為の駆動回路３４と、サーマルヘッド１９を駆動する為の駆動回路３５と、テープ送りモータ３６を駆動する為の駆動回路３７とが、夫々接続されている。
【００２６】
制御装置Ｃは、ＣＰＵ４０と、このＣＰＵ４０にデータバスなどのバス４５を介して接続された入出力インターフェース４４、表示用キャラクタジェネレータＲＯＭ（表示用ＣＧＲＯＭ）４１、印字用キャラクタジェネレータＲＯＭ（印字用ＣＧＲＯＭ）４２、ＲＯＭ４３及びＲＡＭ５０とから構成されている。
【００２７】表示用ＣＧＲＯＭ４１には、アルファベット文字や記号などの多数のキャラクタの各々に関して、所定文字サイズの表示用ドットパターンデータが格納されている。
【００２８】
印字用ＣＧＲＯＭ４２には、アルファベット文字や記号などの多数のキャラクタの各々に関して、印字用ドットパターンデータが、各書体毎にコードデータに対応させて、複数の印字文字サイズ分格納されている。また、パノラマのイラストに関しても、印字用ドットパターンデータが、各ラベルのラベルインデックステーブルに対応させて、格納されている。
【００２９】
ＲＯＭ４３には、キーボード３から入力された文字や数字や記号などのキャラクタのコードデータに対応させてディスプレイコントローラ３２を制御する表示駆動制御プログラム、印字に供する１ドット列毎のドットパターンデータを順次サーマルヘッド１９やテープ送りモータ３６に転送して印字する印字駆動制御プログラム、本願特有の後述のテキスト入力制御、パノラマラベル名選択制御、パノラマラベルデータ入力制御などの制御プログラムが格納されている。
【００３０】
ところで、このテープ状ラベル作成装置１で作成可能なラベル名として、「つなひき」、「かけっこ」、「合唱」、・・・など、多数設けられている。
【００３１】
即ち、このＲＯＭ４３には、図４に示すように、これら複数のラベル名の各々について、ラベル印字の為のラベル固有情報の先頭アドレスとラベル名テーブルの先頭アドレスと印字用ＣＧＲＯＭ４２内のイラストデータの先頭アドレスを記憶したラベルインデックステーブルと、各ラベル毎の固有データを記憶したラベル固有情報と、ラベル名を表示する表示データを記憶したラベル名テーブルとが設けられている。ここで、ラベルインデックステーブルにおいて、図示の複数のラベル名の各々には、ラベル名固有のラベル番号「０」、「１」、「２」、・・・・が各ラベル名毎に格納されている。
【００３２】
更に、複数のラベル固有データの各々には、図６に示すように、文字入力エリア数、各エリアの文字数、印字の際に文字の印字位置を示す文字先頭位置に関する情報が格納されている。
【００３３】
また、図５に示すように、このＲＯＭ４３には、全てのパノラマラベルに共通するパノラマ用全体書式データが格納されている。
【００３４】
前記ＲＡＭ５０には、テキスト入力制御により、キーボード３から入力されたキャラクタのコードデータや、パノラマラベルデータ入力制御により、キーボード３から入力されたテキストデータを格納するテキストメモリ５１、パノラマラベルの全体書式情報を格納する全体書式情報メモリ５２、図４に示すように、ラベルインデックステーブルに格納されたラベルを順次指示するラベルポインタのポインタ値ＬＰを格納するポインタメモリ５３、そのテキストメモリ５１に格納されたキャラクタコードに対応するドットパターンデータを展開して格納する印字データバッファ５５、その他ＣＰＵ４０で演算した演算結果を一時的に格納するメモリやバッファなどが設けられている。
【００３５】
次に、テープ状ラベル作成装置１の制御装置Ｃで行なわれる、テキスト入力制御、パノラマラベル名選択制御、パノラマラベルデータ入力制御・・などのルーチンについて、図７〜図１３の概略フローチャートに基いて説明する。尚、図中符号Ｓｉ（ｉ＝１０、１１、１２・・・・）は各ステップである。
【００３６】
キーボード３上の電源キーの操作により電源が投入されると、先ず、文書データを入力する通常のテキスト入力制御が起動され、ディスプレイ４には、テキスト入力画面が表示される。そして、文字キーや数字キーや記号キー、更には改行キーや改ブロックキーなどの、編集キー以外の印字可能キーが操作されたときには（Ｓ10・Ｓ11：Yes ）、その入力されたキーに対応するコードデータが文書データとしてテキストメモリ５１に格納されるとともに、その操作されたキーに対応する文字や記号がディスプレイ４に表示され（Ｓ15）、Ｓ10に戻る。
【００３７】
次に、印字キーが操作されたときには（Ｓ10：Yes 、Ｓ11：No、Ｓ12：Yes ）、入力されたテキストメモリ５１が印字処理され（Ｓ16）、Ｓ10に戻る。
【００３８】
ところで、所望のパノラマラベルを作成する為に、パノラマキーが操作されたときには（Ｓ10：Yes 、Ｓ11・Ｓ12：No、Ｓ13：Yes ）、このテキスト入力制御を終了して、パノラマラベル名選択制御（図８参照）が起動されて実行される（Ｓ17）。
【００３９】
まず、パノラマラベル名選択制御が開始され、右カーソル移動キーが操作されたときには（Ｓ19・Ｓ20：Yes ）、次のラベル名表示処理制御（図９参照）が実行される（Ｓ24）。
【００４０】
この制御が開始されると、先ずラベルポインタ値ＬＰが読込まれ（Ｓ29）、このラベルポインタ値ＬＰが最大値MAX でないときには（Ｓ30：No）、このラベルポインタ値ＬＰが１つインクリメントされ（Ｓ31）、このラベルポインタ値ＬＰで指示するラベル名が、ラベル名テーブルから読出されてビデオＲＡＭ３１に展開され、ディスプレイ４に表示され（Ｓ32）、この制御を終了して、パノラマラベル名選択制御のＳ19にリターンする。例えば、図１５に示すように、次のラベル名「かけっこ」が表示される。
【００４１】
ところで、読込んだラベルポインタ値ＬＰが最大値MAX のときには（Ｓ29、Ｓ30：Yes ）、ラベルポインタ値ＬＰとして「０」（Ｓ33）、つまりラベルインデックステーブルの最初のラベル名「つなひき」が指示され、Ｓ32を経て前記Ｓ19にリターンする。例えば、図４・図１４に示すように、ディスプレイ４には、先頭のラベル名「つなひき」が表示される。
【００４２】
前記パノラマラベル名選択制御において、左カーソル移動キーが操作されたときには（Ｓ19：Yes、Ｓ20：No、Ｓ21：Yes ）、前のラベル名表示処理制御（図１０参照）が実行される（Ｓ25）。
【００４３】
この制御が開始されると、先ずラベルポインタ値ＬＰが読込まれ（Ｓ35）、このラベルポインタ値ＬＰが「０」でないときには（Ｓ36：No）、このラベルポインタ値ＬＰが１つデクリメントされ（Ｓ37）、このラベルポインタ値ＬＰで指示するラベル名がディスプレイ４に表示され（Ｓ38）、この制御を終了して、パノラマラベル名選択制御のＳ19にリターンする。また、読込んだラベルポインタ値ＬＰが「０」のときには（Ｓ36：Yes ）、ラベルポインタ値ＬＰとして、最大値MAX がセットされ（Ｓ39）、Ｓ38以降が実行される。
【００４４】
一方、取消しキーが操作されたときには（Ｓ19：Yes 、Ｓ20〜Ｓ22：No、Ｓ23：Yes ）、この制御を終了して、テキスト入力制御が起動されるが（Ｓ27）、実行キーが操作されたときには（Ｓ19：Yes 、Ｓ20〜Ｓ21：No、Ｓ22：Yes ）、このラベル名選択制御を終了して、パノラマラベルデータ入力制御（図１１参照）が起動されて実行される（Ｓ26）。
【００４５】
次に、パノラマラベルデータ入力制御において、全体書式情報が全体書式情報メモリ５２に展開されるとともに、選択したラベルの固有データを読み込みパノラマテキストバッファに展開し（Ｓ41）、文字入力エリア数と、各エリアの文字数とに基づいて、入力画面がディスプレイに表示される（Ｓ42）。例えば、図１６に示すように、パノラマラベルの先頭を示すマークＰＳと、最終を示すマークＰＥと、イラストを印字する位置を示すマークＰＩと、文字入力エリアを示すマークＰＫが表示される。イラストを印字する位置を示すマークが各文字入力エリアの間に表示されると、イラストを印字する位置と文字を印字する位置がわかり、実際の印字結果がイメージしやすくなる。また、文字入力エリアを示すマークは各文字入力エリアに入力可能な文字数分表示されるため、文字の入力がしやすくなる。カーソルＫは先頭の文字入力エリアの先頭に表示される。
【００４６】
次に、印字可能キーが操作されたときには（Ｓ43・Ｓ44：Yes ）、その操作されたキーに対応するコードデータ又は変換されたシンボルやマークのコードデータが、テキストメモリ５１の所定格納位置に挿入により格納され且つカーソルＫの直前に表示され（Ｓ49）、Ｓ43に戻る。例えば、図１７に示すように、文字「あ」のキーが操作されたときには文字「あ」をカーソルＫの直前の入力位置に挿入して表示される。そして、文字入力エリアいっぱいに文字を入力すると、図１８のように最終を示すマークがディスプレイ４に表示される。
【００４７】
次に、選択した固定ラベル名に関して各文字入力エリアに、テキストデータを入力した後、印字キーが操作されたときには（Ｓ43：Yes 、Ｓ44：No、Ｓ45：Yes ）、全体書式情報メモリ５２に格納された全体書式情報と、選択したラベルの固有データと、選択したラベルのラベルインデックステーブルと、テキストメモリ５１に格納されたテキストデータとに基づいて、印字処理が実行され（Ｓ50）、この制御を終了して、テキスト入力制御を起動して実行される（Ｓ52）。例えば、固定ラベル名「かけっこ」について、入力されたテキストデータの印字位置は、夫々設定されているので、これらのテキストデータが夫々の印字位置に印字され、図２１に示すように、かけっこのパノラマのテープ状ラベル２３が簡単に作成できる。
【００４８】
また、印字キーのかわりにカラフル印字キーが操作されたときには（Ｓ43：Yes、Ｓ44〜Ｓ45：No、Ｓ46：Yes）、カラフル印字制御（図１２参照）が実行される（Ｓ51）。
【００４９】
この制御が開始されると、先ず何色目かを表す値ｎが０に設定される（Ｓ54）。次にこの何色目かを表す値ｎが１つインクリメントされ（Ｓ55）、「ｎインク？」がディスプレイ４に表示される（Ｓ56）。例えば、図１９のように表示される。
【００５０】そして、実行キーが操作されたときには（Ｓ57：Yes）、カラフル印字処理（図１３参照）が実行される（Ｓ58）。
【００５１】
この処理が開始されると、先ずパノラマテキストバッファを検索し（Ｓ63）、文字コードと選択したラベルのイラストに対応するＣＧデータを印字バッファに格納する（Ｓ64）。そして、全体書式情報メモリ５２に格納された全体書式情報と、選択したラベルの固有データとに基づいて印字を行うが、ｎが１であれば（Ｓ65：Yes）印字バッファの文字部分をクリアし（Ｓ66）、１ラインずつヘッドに送り（Ｓ69）、印字を実行する。ｎが１でなく（Ｓ65：No）文字が有れば（Ｓ67：Yes）、印字バッファのイラスト部分をクリアして（Ｓ68）から、１ラインずつヘッドに送り（Ｓ69）、印字を実行する。文字が無ければ（Ｓ67：No）、そのまま印字を終了する。印字が終了すると（Ｓ70：Yes）、カラフル印字制御のＳ59にリターンする。
【００５２】
カラフル印字処理を終了した時、ｎが２であれば（Ｓ59：Yes）テキスト入力制御を起動し（Ｓ60）、ｎが２でなければ（Ｓ59：No）、例えば図２０のようなテープ巻き戻し確認画面をディスプレイ４に表示して（Ｓ61）、Ｓ55にもどる。
【００５３】
また、前記パノラマラベルデータ入力制御において、取消しキーが操作されたときには（Ｓ43：Yes、Ｓ44〜Ｓ46：No、Ｓ47：Yes）、この制御を終了して、テキスト入力制御が起動されて実行される（Ｓ48）。
【００５４】
本発明の実施形態は上記に限定されるものではなく、その主旨を逸脱しない範囲において種々の変更を加えることができる。
【００５５】
例えば、同一画面上にて入力開始位置をカーソルで示し、入力可能な残り文字数を数値で示すことも可能である。その場合、図２２で示すように、入力可能な残り文字数を示す数値ＰＮがディスプレイ４に表示される。そして、印字可能キーが操作されたときには、その操作されたキーに対応するコードデータ又は変換されたシンボルやマークのコードデータが、テキストメモリ５１の所定格納位置に挿入格納され且つカーソルＫの直前に表示される。例えば、図２３に示すように、文字「あ」のキーが操作されたときには文字「あ」をカーソルＫの直前の入力位置に挿入して表示され、入力可能な残り文字数ＰＮが１文字減少する。
【００５６】
【発明の効果】
以上説明したことから明かなように、請求項１記載のテープ状ラベル作成装置によれば、選択されたラベル名に関して、入力可能な文字数と入力開始位置とが表示されるので、テキストデータの入力が容易になり、所望のテープ状ラベルを簡単に且つ迅速に作成することができる。また、印字用書式情報にイラストデータが備えられている場合には、その旨がイラストを印字する位置として表示されるので、使用者は容易に確認することができる。
【００５７】
【００５８】
また、請求項２記載のテープ状ラベル作成装置によれば、請求項１に係るテープ状ラベル作成装置と同様の効果を奏するが、入力開始位置から入力可能文字数分だけマークが表示されるので、入力開始位置及び入力可能文字数が視覚的に容易に確認でき、テキストデータの入力が一段と容易になる。
【００５９】
【図面の簡単な説明】
【図１】テープ状ラベル作成装置の平面図である。
【図２】テープカセットを装着したサーマル印字機構の概略平面図である。
【図３】テープ状ラベル作成装置の制御系のブロック図である。
【図４】ＲＯＭに格納された、複数のパノラマの各々のラベルに関する情報を説明する説明図である。
【図５】ＲＯＭに格納された全てのパノラマラベルに共通する情報を説明する図である。
【図６】パノラマラベル固有情報テーブルのデータを説明する説明図である。
【図７】テキスト入力制御ルーチンの概略フローチャートである。
【図８】パノラマラベル名選択制御のルーチンの概略フローチャートである。
【図９】次のラベル名表示処理制御のルーチンの概略フローチャートである。
【図１０】前のラベル名表示処理制御のルーチンの概略フローチャートである。
【図１１】パノラマラベルデータ入力制御のルーチンの概略フローチャートである。
【図１２】カラフル印字制御のルーチンの概略フローチャートである。
【図１３】カラフル印字処理のルーチンの概略フローチャートである。
【図１４】パノラマラベル名を選択するときのラベル名選択画面のデフォルト表示例を示す図である。
【図１５】パノラマラベル名を選択するときのラベル名選択画面の表示例を示す図である。
【図１６】パノラマ入力画面のデフォルト表示例を示す図である。
【図１７】パノラマ入力画面の文字入力したときの表示例を示す図である。
【図１８】パノラマ入力画面のテキスト最終位置の表示例を示す図である。
【図１９】カラフル印刷制御のインク色確認画面の表示例を示す図である。
【図２０】カラフル印刷制御のテープまきもどし確認画面の表示例を示す図である。
【図２１】パノラマラベル名「かけっこ」で作成したテープ状ラベルの図である。
【図２２】他の実施態様におけるパノラマ入力画面のデフォルト表示例を示す図である。
【図２３】他の実施態様におけるパノラマ入力画面の文字入力したときの表示例を示す図である。
【符号の説明】
１ テープ状ラベル作成装置
３ キーボード
４ 液晶ディスプレイ
１１ ラミネートテープ
４０ ＣＰＵ
４３ ＲＯＭ
５０ ＲＡＭ
５１ テキストメモリ
ＰＭ サーマル印字機構
Ｃ 制御装置
【図１】
0003557752.tif 000002
【図２】
0003557752.tif 000003
【図３】
0003557752.tif 000004
【図４】
0003557752.tif 000005
【図５】
0003557752.tif 000006
【図６】
0003557752.tif 000007
【図７】
0003557752.tif 000008
【図８】
0003557752.tif 000009
【図９】
0003557752.tif 000010
【図１０】
0003557752.tif 000011
【図１１】
0003557752.tif 000012
【図１２】
0003557752.tif 000013
【図１３】
0003557752.tif 000014
【図１４】
0003557752.tif 000015
【図１５】
0003557752.tif 000016
【図１６】
0003557752.tif 000017
【図１７】
0003557752.tif 000018
【図１８】
0003557752.tif 000019
【図１９】
0003557752.tif 000020
【図２０】
0003557752.tif 000021
【図２１】
0003557752.tif 000022
【図２２】
0003557752.tif 000023
【図２３】
0003557752.tif 000024